(57)【要約】  【課題】スポンジ部分を容易に取り替え可能な柄付きブラシを提供する。  【解決手段】本発明の柄付きブラシは、柄と、柄の一端部に設けられる支持部とを備え、支持部が環状の枠体に形成されており、当該支持部の一側に、支持部の枠形に沿って多数の毛体が植設されているとともに、支持部の枠内に弾性材料製の清掃部材が、その中寄り部分を枠体に保持させた状態で着脱可能に取り付けられており、支持部の毛体植設側の一側には、毛体と前記清掃部材との組み合わせによる第１清掃部が形成されるとともに、他側には、前記清掃部材からなる第２清掃部が形成されていることを特徴とするものである。  【選択図】図１
2005304510.tif 000002
【特許請求の範囲】
【請求項１】
柄と、柄の一端部に設けられる支持部とを備え、支持部が環状の枠体に形成されており、当該支持部の一側に、支持部の枠形状に沿って多数の毛体が植設されているとともに、支持部の枠内に、弾性材料製の清掃部材が、その中寄り部分を枠体に保持させた状態で着脱可能に取り付けられており、支持部の毛体植設側の一側には、毛体と前記清掃部材との組み合わせによる第１清掃部が形成されるとともに、他側には、前記清掃部材からなる第２清掃部が形成されていることを特徴とする柄付きブラシ。
【請求項２】
前記清掃部材の外形が、支持部の枠体の内部形状よりも大きく形成されており、当該清掃部材の弾性復元力によって、清掃部材の側面部が支持部の枠体内側面に保持されていることを特徴とする請求項１記載の柄付きブラシ。
【請求項３】
前記清掃部材の一方の端面が、毛体の先端部とほぼ同じ高さであることを特徴とする請求項１又は２記載の柄付きブラシ。
【請求項４】
前記清掃部材の少なくとも一方の端面のほぼ中心部に、凹溝もしくは凹状の有底穴が形成されていることを特徴とする請求項１から請求項３記載の柄付きブラシ。
【発明の詳細な説明】
【技術分野】
【０００１】
本発明は、洗浄又は清掃する際に使用されるブラシに関するもので、特に台所や風呂場など水回り部分の清掃に使用されるブラシに関するものである。
【背景技術】
【０００２】
従来、この種の柄付きブラシとしては、板体の一方の表面中央付近に、板体の表面積よりも底面積の小さいスポンジを取り付け、スポンジの周りの板体表面に毛体を多数植えたものがある（例えば、特許文献１参照）。
【特許文献１】実開昭６１−１７７０９２号公報
【発明の開示】
【発明が解決しようとする課題】
【０００３】
ｃｃ
【課題を解決するための手段】
【０００４】
本発明の柄付きブラシは、上記問題点に鑑みて提案されたものであって、
柄と、柄の一端部に設けられる支持部とを備え、支持部が環状の枠体に形成されており、当該支持部の一側に、支持部の枠形に沿って多数の毛体が植設されているとともに、支持部の枠内に弾性材料製の清掃部材が、その中寄り部分を枠体に保持させた状態で着脱可能に取り付けられており、支持部の毛体植設側の一側には、毛体と前記清掃部材との組み合わせによる第１清掃部が形成されるとともに、他側には、前記清掃部材からなる第２清掃部が形成されていることを特徴とするものである。
【０００５】
また、前記清掃部材の外形が、支持部の枠体の内部形状よりも大きく形成されており、当該清掃部材の弾性復元力によって、清掃部材の側面部が支持部の枠体内側面に保持されていてもよい。
【０００６】
さらに、前記清掃部材の一方の端面が、毛体の先端部とほぼ同じ高さであってもよい。
【０００７】
また、前記清掃部材の少なくとも一方の端面のほぼ中心部に、凹溝もしくは凹状の有底穴が形成されていてもよい。
【発明の効果】
【０００８】
本発明の柄付きブラシによれば、支持部の枠内に弾性材料製の清掃部材が、その中寄り部分を枠体に保持させた状態で着脱可能に取り付けられているので、前記清掃部材が十分に機能しなくなった場合には、支持部から清掃部材を取り外し、別の新しい清掃部材を取り付けて再使用することができる。したがって、経済的である上、資源を有効利用でき、ゴミの減量化に寄与することができる。また、支持部から清掃部材を取り外せるので、毛体、清掃部材ともに水切れがよく、衛生的である。さらに、支持部の毛体植設側の一側には、毛体と清掃部材との組み合わせによる第１清掃部が形成されるとともに、他側には、清掃部材からなる第２清掃部が形成されているので、清掃箇所の材質や汚れ具合に応じて第１清掃部と第２清掃部とを使い分けることができる。
【０００９】
また、前記清掃部材の外形が、支持部の枠体の内部形状よりも大きく形成されており、当該清掃部材の弾性復元力によって、清掃部材の側面部が支持部の枠体内側面に保持されるものでは、清掃部材の弾性を利用して簡単に支持部に取り付け又は取り外しができる。しかも、複雑な着脱機構や着脱用の部品が不要であるので、製造しやすい上、コストダウンを図ることもできる。
【００１０】
さらに、前記清掃部材の一方の端面が、毛体の先端部とほぼ同じ高さであるものでは、毛体の先端部と清掃部材の端面との両方を被清掃面に当接させて清掃することができるので、効率よく清掃することができる。
【００１１】
また、前記清掃部材の少なくとも一方の端面のほぼ中心部に、凹溝もしくは凹状の有底穴が形成されているものでは、凹溝もしくは凹状の有底穴の内部に洗剤などを投入するだけで、清掃部材内に洗剤を含ませることができる。したがって、清掃部材に洗剤などを馴染ませる手間が不要となり、より簡便かつ快適な清掃を行うことができる。
【発明を実施するための最良の形態】
【００１２】
以下、本発明にかかる柄付きブラシの一実施形態について詳細に説明する。
【００１３】
本実施形態の柄付きブラシ１は、図１から図４に示すように、合成樹脂製のブラシ本体２と、ブラシ本体２に着脱可能に取り付けられる合成樹脂製の連続発泡体からなるスポンジ体３とを備えて構成されている。
【００１４】
ブラシ本体２は、柄４と、柄４の一端部に一体形成された環状のスポンジ支持体５と、スポンジ支持体５の一側に設けられるブラシ部６とを備えている。
柄４は、全長約１６５ｍｍで、グリップ部４１と、グリップ部４１に対して下向きに傾斜するネック部４２とを備えており、グリップ部４１の遊端部側には、別個の係止フック（図示せず）に係止可能なフック穴４３が形成されている。
スポンジ支持体５は、外径約４８ｍｍ、内径約３５ｍｍの環状の枠体形状で、ネック部４２の先端部に、ネック部４２の傾斜方向と逆方向に持ち上がるように傾斜して設けられている。
ブラシ部６は、合成樹脂製の多数の毛体６００をスポンジ支持体５の枠形に沿って、ネック部４２が傾斜している側に植設して形成されており、毛足の長さは約２７ｍｍである。
【００１５】
スポンジ体３は、直径約５８ｍｍ、高さ約６０ｍｍのほぼ円柱形状に形成されており、一方の端面のほぼ中心部に、直径約９ｍｍ、深さ約４５ｍｍの凹状の有底穴３１が形成されている。
【００１６】
ところで、スポンジ体３をブラシ本体２に取り付ける場合は、図４に示すように、スポンジ支持体５におけるブラシ部６形成側と反対側から、スポンジ体３をスポンジ支持体５の枠内部に挿入し、図１に示すように、スポンジ体３の側面部の長さ方向ほぼ中央部分をスポンジ支持体５の枠内面に保持させる。
具体的には、スポンジ体３の有底穴３１が形成されている側の端面をスポンジ支持体５におけるブラシ部６形成側と反対側に対向配置させ、スポンジ体３をスポンジ支持体５の枠内に挿入可能な程度に手で圧縮して、スポンジ支持体５の枠内に押し込み、スポンジ体３の端面がブラシ部６の毛体６００の先端部とほぼ同じ高さになるように、スポンジ体３を配置させる。スポンジ体３から手を離すと、スポンジ体３の弾性復元力により、スポンジ体３の側面部がスポンジ支持体５の枠内面に圧接し、スポンジ体３がスポンジ支持体５に保持される。このようにして、図１、図２に示すように、スポンジ支持部５のブラシ部６形成側の一側には、ブラシ部６とスポンジ体３との組み合わせによる第１清掃部７が形成され、図１、図３に示すように、スポンジ支持部５の他側には、スポンジ体３からなる第２清掃部８が形成される。
【００１７】
次に、この柄付きブラシ１を使用する場合には、まず、スポンジ体３の有底穴３１に粉状または液体状の洗剤を投入するとともに、スポンジ体３に水分を含ませる。その後、グリップ部４１を手で握って、被清掃面の材質や汚れ具合に応じて、第１清掃部７または第２清掃部８のいずれかを被清掃面に当接させた状態で任意の方向に動かしながら清掃する。清掃終了後は、スポンジ体３をスポンジ支持部５から取り外し、スポンジ体３とブラシ本体２とを湯水でよくすすいだ後、水切りをする。このとき、ブラシ本体２のフック穴４３を別個のフックに係止させてもよい。
【００１８】
以上、詳述したように、本実施形態の柄付きブラシ１によれば、
スポンジ体３が、スポンジ支持部５に着脱可能に取り付けられているので、スポンジ体３が、十分に機能しなくなった場合、例えば劣化したりひどく汚れてしまった場合には、スポンジ支持部５からスポンジ体３を取り外し、別の新しいスポンジ体を取り付けて再使用することができる。したがって、経済的である上、資源を有効利用でき、ゴミの減量化に寄与することができる。また、スポンジ支持部５からスポンジ体３を取り外せるので、ブラシ部６、スポンジ体３ともに水切れがよく、衛生的である。さらに、スポンジ支持部５のブラシ部６を植設した側には、ブラシ部６とスポンジ体３との組み合わせによる第１清掃部７が形成されるとともに、他側には、スポンジ体３からなる第２清掃部８が形成されているので、清掃箇所の材質や汚れ具合に応じて第１清掃部７と第２清掃部８とを使い分けることができる。したがって、例えば清掃箇所がステンレス製などの比較的キズのつきにくい材質である場合や、汚れがこびりついている場合などには、ブラシ部６を備えた第１清掃部７で清掃すればよいし、ガラス、ホーロー、プラスチック製などキズのつきやすい材質である場合や、軽い汚れの場合には、スポンジ体３からなる第２清掃部８で清掃することができる。
【００１９】
また、スポンジ体３の直径をスポンジ支持部５の内径よりも大きく形成することにより、スポンジ体３の弾性復元力を利用して、スポンジ体３の側面部をスポンジ支持部５の枠内面に保持させることができる。また、スポンジ体３をスポンジ支持体５に対して簡単に着脱することができる。したがって、スポンジ体３をスポンジ支持体５に取り付けるための複雑な着脱機構や着脱用の部品が不要であるので、製造しやすい上、コストダウンを図ることもできる。
【００２０】
また、スポンジ体３が連続発泡体で、保水性、洗剤保持性に優れているので、保水性、洗剤保持性を殆んど有さないブラシ部６に、スポンジ体３から適宜水分や洗剤を供給することができる。したがって、水や洗剤にブラシ部６を繰り返し浸す作業が不要となり、効率よく清掃することができる。
【００２１】
さらに、スポンジ体３の一方の端面をブラシ部６の毛体６００の先端部とほぼ同じ高さに配置しているので、スポンジ体３から毛体６００の先端部に、水分と洗剤とを十分に供給でき、より効率よく清掃することができる。また、スポンジ体３の端面とブラシ部６の毛体６００の先端部との両方を被清掃面に当接させて清掃することができるので、ブラシ部６により被清掃面の凹凸部から汚れをかき出すとともに、かき出された汚れをスポンジ体３で拭き取ることができる。したがって、ブラシとスポンジとの両方の清掃機能による相乗効果をもって、より効率よく、よりきれいに清掃することができる。
【００２２】
その上、スポンジ体３の端面のほぼ中心部に、洗剤投入用の凹状の有底穴３１が形成されているので、洗剤を有底穴３１内に収容することができる。したがって、液状洗剤は勿論のこと、粉状洗剤であってもスポンジ体３からこぼれ落ちにくく、洗剤を無駄なく使用できる上、スポンジ体３の内部で水と洗剤とを効率よく馴染ませることができ、簡便かつ快適な清掃を行うことができる。また、有底穴３１の深さが約４５ｍｍで、有底穴３１の底面がスポンジ体３の中心部に十分到達しているので、有底穴３１に洗剤を投入し、スポンジ体３に水を含ませれば、スポンジ体３全体に洗剤を行き渡らせることができ、第１清掃部７、第２清掃部８のいずれ側でも好適に清掃することができる。
【００２３】
なお、本実施形態では、ブラシ本体２と、ブラシ部６を構成する毛体６００とを合成樹脂製とするとともに、スポンジ体３を合成樹脂製の連続発泡体で形成しているが、材質は上記のものに限られない。例えば、ブラシ本体２は、金属製であっても、木製であってもよい。また、毛体６００は、獣毛やシュロの毛など天然の毛であってもよいし、金属製の毛であってもよい。さらに、スポンジ体は、弾性材料製であればよく、例えば合成繊維製あるいは金属製のネット状素材であってもよい。
【００２４】
また、本実施の形態は、特に水回り部分の清掃に使用されるものとしたが、ブラシ本体２、毛体６００、スポンジ体３の材質や形状を異ならせれば、様々な用途に使用できる。例えば、鍋や食器などの台所用品、自動車のボディー洗浄用としても使用できるし、スニーカーなどの靴を洗うのにも適している。さらに、洗顔ブラシ、ボディーブラシとして使用することもできる。
【００２５】
また、スポンジ体３は、手で圧縮して、スポンジ支持体５内に挿入できればよいので、例えば、スポンジ支持体５に挿入する側と反対側の端面に、弾性を有しない異素材、例えば軽石などを貼着してもよい。このようにすれば、スポンジ体３の弾性を利用してスポンジ支持体５に保持させることができる上、異素材による洗浄効果を得ることもでき、さらに効果的に清掃することができる。
【００２６】
また、スポンジ支持体２の形状は、環状の枠体であればよく、枠体の形状は円形状であっても多角形状であってもよい。
【００２７】
さらに、スポンジ体３をスポンジ支持体５に取り付ける場合には、有底穴３１形成面を第１清掃部７側にしてもよいし、第２清掃部８側にしてもよい。また、有底穴３１は、１つに限られず複数個であってもよい。さらに、第１清掃部７側、第２清掃部８側の両面に形成されていてもよい。
【００２８】
また、スポンジ体３に形成される凹部の形状としては、前記有底穴３１に限られず、例えば凹溝であってもよい。
【００２９】
また、スポンジ支持体５の枠内面に、スポンジ体３の位置ずれを防止する位置ずれ防止部を設けてもよい。位置ずれ防止部としては、例えば、枠内面に沿って複数個の円錐状の突起を設けてもよいし、枠内面全体に粗い凹凸部を形成してもよい。このようにすれば、スポンジ体３の側面部をスポンジ支持体５の枠内面に係止させることができるので、スポンジ体３の弾性復元力によるスポンジ支持体５への圧接力との相乗効果により、スポンジ体３をより確実にスポンジ支持体５の枠内面に係止させることができる。したがって、清掃作業中などスポンジ体３に外力がかかる場合においても、スポンジ体３の位置ずれを効果的に防止できる。
【００３０】
さらに、柄４は、上述した形状に限られず、他の形状であってもよい。例えば、天井や壁などの清掃に好適なように長さを長くしてもよいし、伸縮可能な構造を備えていてもよい。また、本実施の形態では、柄４とスポンジ支持体５とを一体形成しているが、柄４をスポンジ支持体５に対して着脱可能に設けてもよい。このようにすれば、柄４が不要の場合には、柄４を取り外して使用できるし、柄４が破損したり変形してしまった場合には新しい柄に取り替えて使用できる。また、柄４として、形状の異なる複数の柄を用意し、スポンジ支持体５に対してそれぞれ取り替え可能にすれば、清掃箇所に最適な柄を取り付けて使用できるので、より効率よく清掃することができる。
【図面の簡単な説明】
【００３１】
【図１】本発明にかかる一実施形態の柄付きブラシ１の正面図である。
【図２】図１の柄付きブラシ１の平面図である。
【図３】図１の柄付きブラシ１の底面図である。
【図４】ブラシ本体２にスポンジ体３を取り付ける様子を示す説明図である。
【符号の説明】
【００３２】
１        柄付きブラシ
３        スポンジ体（清掃部材）
３１      有底穴（凹状の有底穴）
４        柄
５        スポンジ支持体（支持部）
６        ブラシ部（毛体）
７        第１清掃部
８        第２清掃部
【図１】
2005304510.tif 000003
【図２】
2005304510.tif 000004
【図３】
2005304510.tif 000005
【図４】
2005304510.tif 000006